(57)【要約】  システムはスマートフォン１００とスマートカード１３０とを備える。スマートフォンはウェブブラウザと表示部１１０とを備えて、スマートフォンは少なくとも１つの選択可能項目を備えるウェブページを表示することができる。スマートカードは、少なくとも１つのプロアクティブ論理エンティティを含む。プロアクティブ論理エンティティは、表示されるウェブページの項目の選択に応答するように設定される。ウェブページはウェブ電話帳であってよい。ＳＩＭツールキットは、プロアクティブ論理エンティティを実行するために可能な機構である。スマートカードはＴＣＰ／ＩＰスマートカードであってよい。
2008530878.tif 000002
【特許請求の範囲】
【請求項１】
スマートフォンとスマートカードとを備え、前記スマートフォンがウェブブラウザと表示部とを備え、それによってスマートフォンが少なくとも１つの選択可能項目を備えるウェブページを表示することができるシステムであって、少なくとも１つのプロアクティブ論理エンティティがスマートカード内に存在し、プロアクティブ論理エンティティが前記表示されたウェブページの前記少なくとも１つの項目の選択に応答するように設定されることを特徴とする、システム。
【請求項２】
前記ウェブページの少なくとも１つのサブセットがスマートカード内に少なくとも一時的に格納され、スマートカード内に格納されたウェブページの前述のサブセットがスマートフォンのウェブブラウザにより利用できることを特徴とする、請求項１に記載のシステム。
【請求項３】
１つの項目に関連した少なくとも１つの要素がプロアクティブ論理エンティティに対するパラメータとして送られてよい、請求項１または２に記載のシステム。
【請求項４】
前記プロアクティブ論理エンティティがサーブレットを備えることを特徴とする、請求項１から３のいずれか一項に記載のシステム。
【請求項５】
前記プロアクティブ論理エンティティが、以下の一連の動作、電話番号にダイヤルすること、ＳＭＳを送信すること、ＳｅｎｄＳＳおよびＳｅｎｄＵＳＳＤなどのネットワークコマンドを送信することに属する動作を開始することができる、請求項１から４のいずれか一項に記載のシステム。
【請求項６】
前記ウェブページの少なくとも１つのサブセットがウェブ電話帳を形成し、ウェブ電話帳の少なくとも一部がスマートカード上に格納される、請求項１から５のいずれか一項に記載のシステム。
【請求項７】
ウェブ電話帳が、インターネットからスマートカードにダウンロードされる遠隔ウェブ電話帳の少なくとも一部を含む、請求項６に記載のシステム。
【請求項８】
ウェブ電話帳の少なくとも１つのサブセットと、常用電話帳の少なくとも１つのサブセットとが同期化される、請求項６または請求項７に記載のシステム。
【請求項９】
最適化ユニットがスマートカードベースの重複部品上にウェブ電話帳および常用電話帳の単一での格納を行い、それによって重複を避ける、請求項６、請求項７、または請求項８のいずれか一項に記載のシステム。
【請求項１０】
請求項１から９のいずれか一項に記載のシステムの、スマートフォン。
【請求項１１】
請求項１から１０のいずれか一項に記載のシステムの、スマートカード。
【発明の詳細な説明】
【技術分野】
【０００１】
本発明は、電話帳などのある種のスマートフォンの機能について通信オペレータの制御性およびスマートフォンの加入者の制御性を拡張するための手段を有するスマートフォンに関する。
【背景技術】
【０００２】
インターネットの出現の前、電話が定められた目的を果たしカスタマイズ不可能であったという意味で電話は専用機器であった。インターネットの出現と共に、パーソナルコンピューティングと通信の融合が目撃された。コンピューティング能力（例えば、ゲーム、予定表管理などのカスタムＪａｖａ（登録商標）アプレットのロードおよび実行）およびインターネットブラウズ機能が通信機器（固定電話および携帯電話など）に追加された。同時に、通信能力（ＩｒＤＡ、ＵＳＢ、ＩＥＥＥ１３９４、イーサネット（登録商標）、ＷｉＦｉ、ＣＤＭＡまたはＧＳＭなど）がラップトップコンピュータまたは携帯情報端末（ＰＤＡ）に組み込まれた。
【０００３】
特別な種類の機器（以後本明細書では「スマートフォン」と呼ぶ）は、少なくともセルラネットワーク（例えば、ＧＳＭ）とインターネットブラウズとをサポートし、セルラネットワークへのアクセスを制御するためにスマートカード（例えば、ＳＩＭ）と協働する機器から成る。
【０００４】
通常、スマートフォンはスマートフォン電話帳を有する。
【０００５】
電話帳は複数の項目を含み、各項目は少なくとも１つの識別子（人の氏名、サービス名または任意の他の通信第三機関の識別番号など）を含む。各電話帳の項目は通常、電話帳に通常格納される少なくとも１つの電話番号に関連している。
【０００６】
１つの項目は表示可能な部分を備え、その表示可能な部分は、スマートフォンの表示部上で区別可能でありスマートフォンのインターフェース装置によって選択的に作動され、そのインターフェース装置はキーパッド、小型のジョイスティック、回転機構などが好ましい。
【０００７】
加入者は、電話帳の項目を選択すると電話帳の項目に関連した電話番号のうちの１つに自動的にダイヤルする、またはこの電話番号にＳＭＳを送信することができる。
【０００８】
通常、スマートカードはスマートカード電話帳を有し、このスマートカード電話帳はスマートフォンの電話帳と同様であるが、スマートフォンではなくスマートカードに格納される。本明細書では「常用電話帳」は、スマートカード電話帳とスマートフォン電話帳をひとまとめにして指す。それらの２つの電話帳の項目は相補的であってよく、または全体的にまたは部分的に重複してよい。言い換えれば、常用電話帳のある種の項目がスマートカードに格納され、他はスマートフォンに格納され、いくつかは両方に格納されてよい。
【０００９】
スマートフォンは、常用電話帳中をナビゲーションすることができる１つの専有ソフトウェアを含む。その結果、常用電話帳は一般に、各スマートフォンの製造業者によって定められる専有方法により表示される。
【００１０】
スマートフォンは、ＷＡＰ（ワイヤレスアプリケーションプロトコル）と呼ばれる業界標準プロトコルを使用してインターネットをブラウズすることもできる。したがってスマートフォンは、人を捜すためにイエローページのウェブサイトをブラウズし、イエローページのウェブサイトのウェブページ内で所望の電話番号を突きとめることができる。この種の電話番号は通常、ハイパーリンク（またはホットスポットなど、ページの他の領域および部分）に関連付けられており、このハイパーリンクは通常、自動的にその番号を呼び出すためにクリックされることができる（ハイパーリンク内の特別なＷＡＰタグのおかげで）。
【００１１】
スマートカードが知られている機能を有することもでき、それらの機能によってスマートカードは、通話などのスマートフォンによって実行されるべき特別なコマンドを要求することができる。例えばＳＩＭカードの場合、これは一連のプロアクティブコマンドを規定する標準的なＳＩＭツールキットＡＰＩによってなされることができる。
【００１２】
以下では、プロアクティブコマンドは、スマートカードによってスマートフォンに送信されるコマンドとして見なされることになる。この種のコマンドは、スマートフォンがマスタ機器であり、スマートカードがスレーブ機器である通常の状況をそれらのコマンドが逆にするということによりプロアクティブと呼ばれる。一般のコマンドはスマートフォンからスマートカードに送信されるが、プロアクティブコマンドは反対方向（スマートカードからスマートフォン）に送信される。ＳＩＭツールキットは、この種のプロアクティブコマンドを実行するために好ましい機構である。
【００１３】
スマートカードはＴＣＰ／ＩＰおよびＨＴＴＰプロトコルもサポートし、最新技術（例えば、ＢＵＬＬ  ＣＰ８  Ｉ−Ｓｉｍｐｌｉｆｙ製品）から知られているようにウェブサーバをホストすることができてもよい。これによって、カード内のウェブページの格納と、インターネットプロトコルによるそれらのページへのアクセスとを可能にする（スマートフォンはスマートカード内に格納されたウェブページをブラウズすることができる）。
【００１４】
オープンモバイルアライアンス（ＯＭＡ）は、（特に、ＯＭＡ  ＳｙｎｃＭＬ  Ｃｏｍｍｏｎ  ｖ１．２でおよびＯＭＡ  Ｄａｔａ  Ｓｙｎｃｈｒｏｎｉｚａｔｉｏｎ  Ｅｎａｂｌｅｒ  Ｒｅｌｅａｓｅ、ｖｅｒｓｉｏｎ  １．２で）同期化方法を規定しており、それらの同期化方法は下記の目標（ＯＭＡ−ＥＲＥＬＤ−ＳｙｎｃＭＬ−ＤＳ−Ｖ１＿２−２００４０６０１−Ｃの８ページ目から引用）を実現する。すなわち、
「共通の同期化プロトコルの目標は相称的である。その共通の同期化プロトコルは任意のネットワーク上で多対多の接続をするであろう。すなわち、その共通の同期化プロトコルは、
任意のモバイル機器を用いてネットワーク上のデータを同期化するであろう。
任意のネットワーク上のデータを用いてモバイル機器を同期化するであろう。
データ同期化プロトコルは、ハンドヘルドコンピュータ、携帯電話、車載コンピュータ、およびデスクトップＰＣを含む多くの様々な機器を用いてネットワーク上のデータを同期化するであろう。ユーザは、様々な機器から同一のデータセットにアクセスし操作することができる。例えば、ユーザはハンドヘルドコンピュータまたは携帯電話のいずれかから電子メールを読み、どのメッセージが読まれたかについて一貫性のある更新した記録をなお維持することができる。同様に、多対多の同期化ではモバイル機器は、電子メール、予定表、コンタクト管理情報、データベースに格納されたエンタープライズデータ、およびウェブ上の文書を含むより多くの種類のデータをサポートすることができる。」
【００１５】
スマートカードはこの規格に明記されているモバイル機器の一部ではない。
【００１６】
最新技術から知られている他の関連技術は業界標準のサーブレットから成る。サーブレットは以下のようにサンマイクロシステムズによって説明されている（ｈｔｔｐ：／／ｊａｖａ．ｓｕｎ．ｃｏｍ／ｐｒｏｄｕｃｔｓ／ｓｅｒｖｌｅｔ／）。
「Ｊａｖａ（登録商標）サーブレット技術は、ウェブ開発者にウェブサーバの機能を拡張ためのおよび既存のビジネスシステムにアクセスするための簡単な一貫性のある機構を提供する。サーブレットは、人なしにサーバ上で動作するアプレットとほぼ考えられることができる。Ｊａｖａ（登録商標）サーブレットは多くのウェブアプリケーションを可能にする。」
【発明の開示】
【発明が解決しようとする課題】
【００１７】
最新技術のスマートフォンの１つの制限は、ＷＡＰにより開始される通話は標準的方法（ウェブページおよびウェブページナビゲーションがスマートフォンの種類と無関係である）で行われるが、電話番号が常用電話帳内で検索される方法と、通話が常用電話帳から開始されるときにこの番号が呼び出される方法とを定めるのがスマートフォンの製造業者であることにある。その結果、セルラネットワークオペレータの加入者は、彼らが有するスマートフォンに応じて常用電話帳に通話を開始させる様々な方法を有し、それらの加入者が異なるスマートフォンに切り換えるたびに常用電話帳に通話を開始させるために異なる方法を学ばなければならないことになる。さらに加入者は、通常、彼らの好みによりこの常用電話帳を自由にカスタマイズすることなく、常用電話帳のブラウザの組み込み機能（スマートフォンで提供される）によって束縛される。
【００１８】
したがって、セルラネットワークオペレータは、使いやすさおよびマーケティング上の理由の両方のために統一された方法を有することを好むであろう（オペレータは、スマートフォンの製造業者に任せるのではなく顧客関係を有することを好む）。実際に統一された方法は、常用電話帳開始型の通話処理に関してスマートフォン製造業者を同等にすることによってスマートフォン製造業者の可視性を減少させながら、その統一された方法はオペレータの可視性（例えば、任意選択的に、加入者がそのように望む場合、加入者によって自由に変更されることができる特定のデフォルトのフォントまたは色によって）をなお拡張することができるであろう。
【００１９】
最新技術のスマートフォンの他の制限は、セルラネットワーク機能およびパーソナルコンピューティング機能が上述の技術融合にもかかわらず別々のユニット内に保持されることである。パーソナルコンピューティングユニットは、先に述べたように（イエローページ）、選択された番号を自動的にダイヤル可能にする特に精巧なＷＡＰタグを有するウェブページなどのまれな場合を除いて通信ユニットを自動的に呼び出さない。
【００２０】
したがって本発明の１つの目的は、常用電話帳開始型の通話の処理を容易にし、オペレータにオペレータ自身でこの処理を定めさせることによって一様な方法（スマートフォンと無関係である）でこの処理にわたってオペレータの制御性を拡張することである。
【００２１】
本発明の他の目的は、スマートフォンのパーソナルコンピューティングユニットから（例えば、パーソナルコンピューティングユニットのウェブブラウザによって表示されるウェブページから）スマートフォンの通信ユニットによって一般に管理される動作またはスマートカードのプロアクティブコマンドを必要とする任意の動作を加入者に開始させることである。
【課題を解決するための手段】
【００２２】
本発明の一態様により、常用電話帳は少なくとも１つのウェブページを含むウェブ電話帳によって補完されまたは交換され（すなわち、常用電話帳は保持されてまたは除去されてよい）、ウェブ電話帳のウェブページは好ましくは、スマートカードに格納されまたは代替として（例えば、スマートカードのメモリが満杯のとき）スマートカードおよびスマートフォンにわたって分けられる（重複の有無を伴って、すなわち、いくつかの項目はスマートカード内およびスマートフォン内の両方で見出されることができる）。
【００２３】
常用電話帳が保持される場合、ウェブ電話帳のウェブページの内容は常用電話帳の内容と必ずしも同一であるとは限らない（したがって、各電話帳の形式によってだけでなく各電話帳の内容によって異なることができる様々な項目が各電話帳内にあってよい）。このウェブ電話帳のウェブページは、イエローページウェブサーバで使用される最新技術のウェブページと構造上、同様であってよい。デフォルト設定では先に述べたように、このウェブ電話帳のウェブページはオペレータによってカスタマイズされることができ（例えば、ブランド化）、加入者は自由にウェブページを別々にカスタマイズできる。
【００２４】
ウェブ電話帳のある種のウェブページは、イエローページなどの公衆のウェブサーバからダウンロードされる抜粋、またはウェブインターフェースを有する会社のＬＤＡＰディレクトリ（それは従業員の電話番号を含むことができる）などの私有のウェブサーバからダウンロードされる抜粋を含むことができる。この種のウェブページは、例えばダウンロード手段または同期化手段を使用してスマートカード内におよび／またはスマートフォン内に（恒久的にまたは単に一時的に）ダウンロードされることができる。
【００２５】
ウェブ電話帳の他の部分は、ウェブページとして格納される個人連絡先から構成することができる。
【００２６】
両方の電話帳（ウェブ電話帳および常用電話帳）を完全に別々にしておく（すなわち、両方の電話帳の内容は異なり無関係であってよい）ことが可能であるが、ウェブ電話帳および常用電話帳は全体的にまたは部分的に同期化されることもできる。いくつかの自動同期化手段は、両方の電話帳が少なくともサブセット（頻繁に使用した個人連絡先のユーザ定義リストなど）に対して同一の項目を含むことを保証するために提供されることができる。可能な同期化方法は、１つの電話帳上で要求された任意の操作を他の電話帳上でも実行することに存する。例えば、新しい項目が追加され、変更されまたは除去される場合、その新しい項目は同時に、両方の電話帳に追加され、両方の電話帳で変更されるまたは両方の電話帳から除去される。既に述べられたように、この同期化は電話帳のサブセットに限定されてよい。
【００２７】
いくつかのメモリ最適化手段が、常用電話帳からウェブ電話帳をまたはその逆を動的に生成するために常用電話帳およびウェブ電話帳の同期化されたサブセットのために与えられてよい（異なる形式で同一データを２度格納する必要はない）。
【００２８】
メモリ最適化手段は、電話帳をコンパクトな内部表現で（任意選択的にデータ圧縮で）格納することと、要求に応じてその電話帳をウェブ電話帳形式（ウェブページ）または常用電話帳形式のいずれかに変換することとにも存することができる。
【００２９】
その変換は、トランスペアレントにおよび自動的に実行されることが好ましい（電話帳がアクセスされたとき、その変換が関連の電話帳の一部分で行われ、アクセスするエンティティはデータが動的に変換されてしまったことを通知さえしない）。
【００３０】
電話帳の項目が表示される方法ならびにそれらの項目中をナビゲートする方法は、スマートフォンのユーザインターフェースにもはや依存せず、より標準的なツールであるスマートフォンのウェブブラウザだけに依存する。
【００３１】
本発明の他の態様により、ウェブ電話帳の項目を選択すると選択された項目に向けられた通話が自動的に起動される。これはＳＩＭツールキットコマンドにより実現されることができる。これは、遠隔のインターネットサーバ上でホストされるウェブページに関する最新技術から知られているようにおよびＷＡＰイエローページの例を用いて既に上述したように、ウェブページに挿入される特別なＷＡＰタグによって実現されることもできる。
【００３２】
本発明の他の態様により、以前の教示は以下のように拡張されることができる。スマートカードに格納される任意のウェブページは、スマートカードに格納されるアプリケーション（例えば、この種のアプリケーションはサーブレットである）を指し、電話番号のダイヤル呼び出しなどのプロアクティブコマンドを起動する少なくとも１つの要素（ハイパーリンクまたはホットスポットなど）を含むことができ、または電話番号のダイヤル呼び出しを起動する少なくとも１つのＷＡＰタグを含むことができる。
【００３３】
遠隔のインターネットサーバ（スマートカードではなく）上に格納される任意のウェブページは、スマートカードに格納されるアプリケーション（例えば、この種のアプリケーションはサーブレットである）を指し、電話番号のダイヤル呼び出しなどのプロアクティブコマンドを起動する少なくとも１つの要素（ハイパーリンクまたはホットスポットなど）を含むことができる。
【００３４】
本発明の他の特徴および利点は下記の図面に示されており、それは決して限定されるものではない。
【発明を実施するための最良の形態】
【００３５】
図１に示されるように、スマートフォン１００は表示部１１０、キーパッド１２０、およびスマートカード１３０を含む。
【００３６】
表示部１１０は、通信ユニット（例えば、表示部１１０は、特定の画像をプロンプトすることによって電話番号がダイヤルされていることを示すことができたり、表示部１１０は着呼に関連する電話番号を示すことができるなど）とパーソナルコンピューティングユニット（例えば、表示部１１０は加入者の予定表の内容を示すことができたり、表示部１１０はアクセスされているウェブページの内容を表示することができるなど）との両方によって使用される。
【００３７】
キーパッド１２０も両ユニット間で共用されている。例えば、キーパッド１２０は、電話番号をタイプするために使用され、アクセスしようとするウェブサイトのＵＲＬをタイプするためにも使用され、またはスマートフォンで提供される予定表アプリケーションに会議の詳細を入力するためにも使用されることができる。スマートカード１３０は、通常のＩＳＯ７８１６準拠のＳＩＭカードであることが好ましい。スマートカード１３０は、よく知られているＩＳＯプロトコルまたはより新しくより速いＵＳＢプロトコルのいずれかにより通信することが好ましい。
【００３８】
スマートカードは、ＴＣＰ−ＩＰプロトコルをサポートしウェブサーバをホストする。
【００３９】
スマートカードに格納されるウェブサーバはウェブページを含み、そのウェブページのいくつかはウェブ電話帳１３５を形成する。
【００４０】
ウェブ電話帳のウェブページの形式は、ＨＴＭＬ、ＷＭＬ、ＸＭＬ、または任意の他の適切な形式であってよい。
【００４１】
ウェブ電話帳は複数の項目を含み、スマートカードのウェブサーバ上に格納される他のウェブページも複数の項目を含み、複数の項目の概念は最新技術から知られている（先に指摘したように）。１つの項目は少なくとも１つの識別子（人の氏名など）を含み、少なくとも１つの電話番号に関連している。
【００４２】
ウェブページおよびウェブ電話帳は表示部１１０上に示されることができる。図１で、表示部１１０は２つのウェブ電話帳の項目、第１の電話番号（１２３４５）に関連したＸ氏および第２の電話番号（６７８９０）に関連したＹ氏を示す。加入者は、加入者がデフォルトオプションに満足しない場合（オペレータのブランド化などがあれば）、ウェブページ、より具体的にはウェブ電話帳１３５が表示される方法（フォントの大きさ、フォントの種類、フォントの色、背景など）をカスタマイズすることができる。
【００４３】
ウェブページまたはウェブ電話帳の項目を選択すると、その電話帳の項目に関連した電話番号のうちの１つに関連する動作の実行を自動的に起動する（常用電話帳と同様に）。
【００４４】
ウェブ電話帳の項目の選択は、キーパッド１２０（しかし代替として、最新技術で知られている任意の種類のポインティングデバイスで実行されるクリックに存することができる）を使用して実行され、スマートフォンのブラウザの機能（スマートフォン製造業者がクリックを実行する方法を定める）のおかげで検出される。少なくとも１つのプロアクティブコマンドを備えるプロアクティブ論理エンティティ（例えば、サーブレット）は、１つの項目または複数の項目を作動することによって生成される起動信号に応答するようにプログラムされる。前記プロアクティブ論理エンティティは、前記起動信号を受信するときにプロアクティブコマンドを開始する。
【００４５】
いくつかの番号が単一の項目に与えられている場合、それらの番号のうちの１つはデフォルト番号として定められ、常用電話帳に関する最新技術で知られている技術を用いて加入者によって他に規定されない限り使用されることになる。
【００４６】
プロアクティブ論理エンティティの動作は、プロアクティブ論理エンティティとしてサーブレットの使用を示す下記の種類のハイパーリンク（電話帳の項目内に挿入される）によって起動されることができる。すなわち、
ｈｔｔｐ：／／ＩＰ−ＡＤＤＲＥＳＳ：ＰＯＲＴ−ＮＵＭＢＥＲ／ｓｅｒｖｌｅｔ−ａｃｔｉｏｎ．ｈｔｍｌ、ここで、ＩＰ−ＡＤＤＲＥＳＳはスマートカードのＩＰアドレスの値（例えば、１２７．０．０．１、すなわち、スマートカードがスマートフォン内にあるときのローカルＩＰアドレス）であり、ＰＯＲＴ−ＮＵＭＢＥＲは通信が行われるポートの数（例えば５０５０、しかし他の値も有効であろう）である。
【００４７】
複数のパラメータが送られてよい。例えば、ストリング、すなわち上記ＵＲＬに？Ｎｕｍｂｅｒ＝１２３４５を付加することによって、サーブレットによって１２３４５にダイヤルすることを要求することができる。？Ｎｕｍｂｅｒ＝１２３４５＆ｔｅｘｔｏ：“ｈｅｌｌｏ”を付加することによって、テキスト「ｈｅｌｌｏ」を有するＳＭＳを電話番号１２３４５に送信することができる。項目選択に応じてサーブレットによって自動的に実行できる動作の非限定的な例は、下記などのプロアクティブコマンドを含む。すなわち、
Ｓｅｔｕｐ  Ｃａｌｌ（項目のデフォルト番号またはユーザ選択番号をダイヤルするために）
Ｓｅｎｄ  ＳＭＳ（項目の番号にＳＭＳを送信するために）
ネットワークコマンド
【００４８】
ＳＭＳは、テキストメッセージ（ｔｅｘｔｏ）またはデータメッセージ（例えば、ＡＰＤＵ、またはアプレット特定データなど）から構成することができる。データメッセージは、スマートフォン内でまたはスマートカード内でホストされるアプリケーションによって生成される情報を送信するために使用されることができる。例えば、その情報は遠隔サーバ上にベストスコアまたは現在のレベル（スマートフォンゲームをプレイ中）を記録するために使用されてよい。
【００４９】
ネットワークコマンドはＳｅｎｄ  ＳＳコマンド（ＳＳはＳｕｐｐｌｅｍｅｎｔａｒｙ  Ｓｅｒｖｉｃｅ（付加サービス）の略である）を含み、Ｓｅｎｄ  ＳＳコマンドは、例えば通話の転送のために使用されることができ、特別な番号（「＊」および「＃」などのワイルドカードを有する番号）にダイヤルすることに存する。ネットワークコマンドはＳｅｎｄ  ＵＳＳＤコマンドも含む。ＵＳＳＤはＵｎｓｔｒｕｃｔｕｒｅｄ  Ｓｕｐｐｌｅｍｅｎｔａｒｙ  Ｓｅｒｖｉｃｅ  Ｄａｔａ（非構造付加サービスデータ）の略である。ＵＳＳＤは、ＧＳＭネットワークの信号チャネル上での情報送信のサポートに関するＧＳＭ規格に組み込まれる能力に存する。ＵＳＳＤはセッションベースの通信を提供し、蓄積交換でトランザクション型技術であるＳＭＳと違って様々なアプリケーションを可能にする。
【００５０】
図２に示されるように、スマートフォン１００は遠隔ウェブサーバ２００と交信することもでき、遠隔ウェブサーバ２００はイエローページサービス２１０をホストすることができる。
【００５１】
スマートフォン１００は、最新技術から知られているイエローページによりブラウズすること（経路Ａ）を可能にし、項目の選択された部分をスマートカードの電話帳１３５内に（恒久的にまたは一時的に）格納すること（経路Ｂ）もできる。
【図面の簡単な説明】
【００５２】
【図１】本発明によるウェブ電話帳を有するスマートフォンを示す図である。
【図２】遠隔ウェブサーバと交信するスマートフォンを示す図である。
【図１】
2008530878.tif 000003
【図２】
2008530878.tif 000004
【国際調査報告】
2008530878.tif 000005
2008530878.tif 000006
2008530878.tif 000007